(57)【要約】      （修正有）【課題】袋体の表面側と裏面側とに表示を施し、開封後、裏面側表示を見て楽しんだり知識を得たりすることができ、資源の有功利用に貢献し得るようにした袋入り浴剤を提供する。【解決手段】袋体６内に浴剤Ｆを収納した袋入り浴剤であって、袋体を構成する袋材１の表面側に浴剤に関連する商品表示２を、裏面側に任意表示３を施しており、袋体の袋材が少なくとも遮光性とバリヤ性を備え合成樹脂フィルムと金属性フイルムとから成るラミネート材であり、任意表示は運勢表示３ａと、格言表示３ｂと、キャラクター表示３ｃと、懸賞表示３ｄと、浴剤Ｆに関連した商品副表示３ｅ等であり、透明フイルムで保護しているか、浴剤と化学反応を起こすことのないインクを用いて表示している。【選択図】図１
0003117652.tif 000002
【実用新案登録請求の範囲】
【請求項１】
袋体（６）に浴剤（Ｆ）を収納した袋入り浴剤であって、袋体（６）の表面側に浴剤（Ｆ）に関連する商品表示（２）を、裏面側に任意表示（３）を施していることを特徴とする袋入り浴剤。
【請求項２】
袋体（６）の袋材（１）が少なくとも遮光性とバリヤ性を備えているラミネート材（１０）であることを特徴とする請求項１記載の袋入り浴剤。
【請求項３】
任意表示（３）が運勢表示（３ａ）と、格言表示（３ｂ）と、絵図表示（３ｃ）と、懸賞表示（３ｄ）と、浴剤（Ｆ）に関連した商品副表示（３ｅ）等であることを特徴とする請求項１または２記載の袋入り浴剤。
【請求項４】
任意表示（３）は、浴剤（Ｆ）と化学反応を起こすことのないインクを用いて表示されていることを特徴とする請求項１，２または３記載の袋入り浴剤。
【請求項５】
任意表示（３）を、浴剤（Ｆ）と化学反応を起こすことなく熱溶着可能な透明フイルム（１４）で保護していることを特徴とする請求項１，２または３記載の袋入り浴剤。
【請求項６】
袋体正面部（６ａ）と袋体背面部（６ｂ）との一方側に浴剤取出口（４）を備え、該取出口（４）を剥離片（５）で塞いでいることを特徴とする請求項１，２または３記載の袋入り浴剤。
【考案の詳細な説明】
【技術分野】
【０００１】
本考案は、袋入り浴剤に関するもので、更に詳しくは、袋体内に浴剤を収納し、浴剤の使用によって浴用効果を得る以外に、他の効果をも合せ持つものである。
【背景技術】
【０００２】
浴剤は、浴湯に香り、色調を与えたり、皮膚面に適度の刺激を与えることによって、血液の循環を活発にし、疲労回復、新陳代謝を増進させるものである。そして入浴剤を主成分により分類すると、無機塩類系、炭酸ガス系、薬用植物系、及び酵素系に区分することができる。又その主成分に香料や色素等が添加されていることも知られている。入浴剤の効果として、温浴効果（体を温める、痛みを和らげる等）と、清浄効果（汚れを落とす、皮膚を清浄にする等）が知られている。
【０００３】
袋入り浴剤は、袋毎に適量の液状浴剤、粉状浴剤、固形浴剤を収納していることから、使用時に計量する必要がなく、使い勝手がよいなどのメリットがある。近年、香りを楽しむ浴剤、色合いを楽しむ浴剤等を提案されている。
一方、浴剤の袋材として主にアルミ蒸着フィルム等を積層したラミネート材が使用されているが、何れも袋体の正面部と背面部との表面側に浴剤に関連する表示のもを施すものであった。
【特許文献１】実開平５−６２５３０
【特許文献２】特開平６−４８９３６
【特許文献３】特開平１０−１８２４４２２
【考案の開示】
【考案が解決しようとする課題】
【０００４】
しかしながら、無機顔料を糖類で被覆したを浴用剤を通常のに充填保存することは、吸湿による固化及び製剤の変色（褐変）が起こる等の製剤安定性の問題を有している。また、防湿効果の高いプラスチック容器やスチール容器等にあっては、開封まで密封された状態であれば製剤劣化の問題はないが、開封後は、保管する環境が高温多湿である風呂場及びその近辺であるため、開口部等からの吸湿による製剤の固化及び製剤の変色（褐変）を生じる可能性が高くなる。従って、これまでのを浴用剤組成物の保管容器は、開封後も気密性を維持する必要があり、多重の外装による包装や、開口部の中栓、キャップ或いは強固な嵌合構造、シール構造等を必要とし、包装を簡素化することが難しかった。
【０００５】
このような袋体は、使用後には家庭から出るゴミとして処理されるため、ゴミの量を低減しようと様々な対策が講じられている昨今においては、上述したような合成樹脂からなる袋体のゴミ化に対しても何らかの対策が必要であった。
また、袋入り浴剤の袋体は、正背面部に浴剤に関連する表示のみを施し、単に浴剤を包装する目的で使用されていたにすぎないため、開封して浴剤を取出した後、返り見られることなく捨てられていた。
そこでこの考案は、従来技術の有するこのような問題点に鑑みてなされたものであり、その目的の一つは、袋体の表面側と裏面側とに表示を施し、開封後、裏面側表示を見て楽しんだり知識を得たりすることにあり、他の目的は、資源の有功利用に貢献し得るようにした袋入り浴剤を提供することにある。
【課題を解決するための手段】
【０００６】
本考案の袋入り浴剤は、請求項１として、袋体に浴剤を収納した袋入り浴剤であって、袋体の表面側に浴剤に関連する商品表示を、裏面側に任意表示を施していることを特徴とする。
請求項２は、請求項１の袋入り浴剤において、袋体の袋材が少なくとも遮光性とバリヤ性を備えているラミネート材であることを特徴とする。
請求項３は、請求項１，２の袋入り浴剤において、任意表示が、運勢表示と格言表示と絵図表示と懸賞表示と浴剤に関連した商品副表示等であることを特徴とする。
【０００７】
ここで袋入り浴剤とは、例えば合成樹脂フイルムと金属性フイルムを積層したラミネート材から成る袋体内に、液状浴剤、粉状浴剤、固形浴剤等を密封したものを言う。
ここで商品表示とは、浴剤に関連する表示の総てを言い、例えば商標名や愛称、キャッチフレーズ、効能、原料・成分、製造者、販売者、有効期間等を言う。
ここで任意表示とは、あらゆる表示を言い、例えば運勢表示（おみくじ、星占い、血液占い、干支占い等）、格言表示（偉人の格言、川柳、俳句等）、絵図表示（漫画キャラクター、プロマイド、カード等）、懸賞表示（懸賞金、懸賞品等）、浴剤に関連した商品副表示等を言う。
【０００８】
請求項４は、請求項１，２，３記載の袋入り浴剤において、任意表示は、浴剤と化学反応を起こすことのないインクを用いて表示されていることを特徴とする。
請求項５は、請求項１，２，３記載の袋入り浴剤において、任意表示を、浴剤と化学反応を起こすことなく熱溶着可能な透明フイルムで保護していることを特徴とする。
請求項６は、請求項１，２，３記載の袋入り浴剤において、袋体正面部と袋体背面部との一方側に浴剤取出口を備え、該取出口を剥離片で塞いでいることを特徴とする。
【０００９】
ここで化学反応を起こすことのないインクとは、浴剤が化学反応を起こすしたり変質することが無く、任意表示の劣化を防止するものを言う。
ここで透明フイルムとは、通常インクで印刷された任意表示の保護と、袋体への浴剤の収納後における口部閉鎖（熱溶着）を容易にするフイルムを言う。
ここで取出口とは、袋体を構成する正面部、又は背面部の一部に貫通状態で穿設するものを言い、剥離片とは、袋体の外面に貼着され、浴剤の使用時に手指で簡単に剥がすことのできるものを言う。
【考案の効果】
【００１０】
本考案による袋入り浴剤は上記構造のとおりであるから、次に記載する効果を奏する。
請求項１の袋入り浴剤は、袋体の裏面側に任意表示を施しているので、その分、消費者に多様なメッセージを与え、それによって商品価値を高め、商品購買を促進することができる。
請求項２の袋入り浴剤は、請求項１の特徴に加えて、袋体の袋材が遮光性とバリア性を備えたラミネート材であるから、商品表示と任意表示とが影響しあうことがないし、酸化も防げる。
請求項３の袋入り浴剤は、請求項１，２の特徴に加えて、任意表示によって需要者に興味を持たせ、それによって購買力を向上し得る。特に子供が好む絵図表示とすれば、漫画キャラクター等の収集につながるので、その分、ごみの減少に貢献する。また、一定枚数をまとめて販売業者まで送ると商品がもらえる懸賞表示にすれば、袋体を回収して再資源とすることも可能である。即ち、総てをゴミとして焼却処分するのではなく、その一部を有効利用することにより、回収処理が容易になるし、ゴミの低減化に貢献する。
【００１１】
請求項４，５の袋入り浴剤は、請求項１，２，３の特徴に加えて、任意表示に浴剤が触れても化学反応を起こすことがないので、任意表示が浴剤成分によって劣化することがないし、浴剤も任意表示によって変質することもない。
請求項６の袋入り浴剤は、請求項１，２，３の特徴に加えて、剥離片で塞ぐ取出口を備えているので、袋体の破断操作が不要になる。
【考案を実施するための最良の形態】
【００１２】
本考案による袋入り浴剤を図１に基づき詳細に説明すれば、袋体６に浴剤Ｆを収納した袋入り浴剤であって、袋体６を構成する袋材１はラミネート材１０であり、ラミネート材１０は少なくとも表面材１１と内面材１２との間に遮光材１３を備えた、その表面側に浴剤Ｆに関連する商品表示２を、裏面側に任意表示３を施し、商品表示２として、例えば商標名や愛称、キャッチフレーズ、効能、原料・成分、製造者、販売者、有効期間等を印刷し、任意表示３として、運勢表示３ａと、格言表示３ｂと、絵図表示３ｃと、懸賞表示３ｄと、浴剤Ｆに関連した商品副表示３ｅ等を印刷し、これを二つ折にして重なりあった左右を溶着し、一方に投入口を有する袋体６を構成し、投入口から内部に浴剤Ｆを投入した後、投入口を着接するものである。
【実施例１】
【００１３】
図１は、本考案による袋入り浴剤の第一実施例を、最前の実施例と相違する点について説明すると、第一実施例の袋入り浴剤は図２の如く、表面側に商品表示２を、裏面側に任意表示３を施した袋材１を、正面部６ａと背面部６ｂとし、正面部６ａと背面部６ｂとを重合し、その左右を溶着して長尺の筒体を形成し、筒体の下側部を溶着して袋体６と成した後、他端側から袋体６内に一袋分の浴剤Ｆを投入し、袋体６の上側部を溶着することを繰り返し、上側溶着部を裁断し、分離する。
【実施例２】
【００１４】
本考案による袋入り浴剤の第二実施例を、第一実施例と相違する点について説明すると、第二実施例の袋入り浴剤は図２の如く、袋体背面部６ｂの一部に浴剤Ｆの取出口４を備え、該取出口４を剥離片５で塞ぐものであり、剥離片５は袋体背面部６ｂに貼着し、一端から容易に剥ぎ取り可能となる。
袋入り浴剤には、通常、一般家庭におけるお風呂の１回分の浴剤Ｆが収容されているが、これを洗面器やタライに湯を入れ、その湯に足を入れて暖める足浴において、湯量に応じて数回に分けて使用する場合、取出口４から浴剤Ｆの一部を足浴湯に入れた後、取出口４を剥離片５で再び塞いでおける。
【産業上の利用可能性】
【００１５】  任意表示３は、浴剤Ｆと化学反応を起こすことのないインクにて表示されているか、浴剤Ｆと化学反応を起こすことのない透明フイルム１４で保護されている。  任意表示３における運勢表示３ａとして、例えばおみくじ（大吉、小吉、吉、半吉、末吉、凶、大凶、恐）、星占い（１２星座）、血液占い（Ａ型，Ｂ型，Ｏ型，ＡＢ型）、干支占い（十二支）等を印刷し、格言表示３ｂとして、例えば偉人の格言、川柳、俳句、コント等を印刷し、絵図表示３ｃとして、例えば漫画キャラクター（（公序良俗違反につき、不掲載）、（公序良俗違反につき、不掲載）等）、プロマイド（野球選手、サッカー選手、プロレスラー等）、カード（トランプ、ゲーム等）懸賞表示３ｄとして、例えばくじ（当選ランク、当選品、交換方法等）を印刷し、懸賞金（シリアル番号、抽選発表方法、当選金額等）、懸賞品（収集方法、交換方法等）を印刷する。
【図面の簡単な説明】
【００１６】
【図１】本考案による袋入り浴剤の一部切欠正面図である。
【図２】袋材の斜視図である。
【図３】袋体の構成例を示す斜視図である。
【図４】第三実施形態の要部正面図である。
【符号の説明】
【００１７】
１  袋材
１０  ラミネート材、１１  表面材、１２  内面材、１３  遮光材
１４  透明フイルム
２  商品表示
３  任意表示
３ａ  運勢表示、３ｂ  格言表示、３ｃ  絵図表示、３ｄ  懸賞表示
３ｅ  商品副表示
４  取出口
５  剥離片
６  袋体、６ａ  袋正面部、６ｂ  袋背面部
Ｆ  浴剤
【図１】
0003117652.tif 000003
【図２】
0003117652.tif 000004
【図３】
0003117652.tif 000005
【図４】
0003117652.tif 000006